(57)【要約】【課題】標的までの距離を測定する距離計の従来の欠点を克服すること。【解決手段】改良型ディスプレイ機能付きのレーザ距離計。この距離計は、測距システムと、プロセッサと、ディスプレイと、を有する。当該距離計は、データを入力するための多位置型ボタンを有するのが良く、また、慣性航法ユニットを更に有するのが良い。当該距離計は、風向及び風速の改良した入力及び向上した追跡を発揮し、風について改良した弾道学的補償を可能にする。【選択図】図４Ａ
2019148600.tif 000002
【特許請求の範囲】
【請求項１】
ディスプレイを含む本体と、
前記本体内に取り付けられていて、標的までの距離を測定するための測距システムと、  前記本体内に取り付けられていて、前記ディスプレイ上に表示するための情報を制御可能なプロセッサと、
前記本体上に取り付けられていて、前記測距システムと連絡状態にある第１のボタンと、
前記本体上に取り付けられていて、前記プロセッサと連絡状態にある第２のボタンと、を備え、
前記第２のボタンは、多位置型ボタンである
ことを特徴とする距離計。
【請求項２】
前記本体内に取り付けられていて、前記プロセッサと連絡状態にある慣性航法ユニットを更に備えたことを特徴とする請求項１に記載の距離計。
【請求項３】
前記第１のボタンの作動により前記装置が射程測定値を取得する
ことを特徴とする請求項１に記載の距離計。
【請求項４】
前記多位置型ボタンの作動により当該距離計の動作のための設定値の調節が可能であることを特徴とする請求項１に記載の距離計。
【請求項５】
前記多位置型ボタンの作動により前記プロセッサへのデータのエントリが可能である
ことを特徴とする請求項１に記載の距離計。
【請求項６】
前記多位置型ボタンは、５位置型ボタンである
ことを特徴とする請求項１に記載の距離計。
【請求項７】
当該距離計は、ワイヤレス接続方式を用いて遠隔コンピュータ計算装置と通信することができる
ことを特徴とする請求項１に記載の距離計。
【請求項８】
ディスプレイを含む本体と、
前記本体内に取り付けられていて、標的までの距離を測定するための測距システムと、  前記本体内に取り付けられていて、前記ディスプレイ上に提供される情報を制御可能なプロセッサと、
を備え、
前記プロセッサは、当該距離計の動作設定値を調節することができる当該距離計のための第１の動作モード、及び、射程測定値を取得することができる当該距離計のための第２の動作モード、を更に提供する
ことを特徴とする距離計。
【請求項９】
前記第１の動作モードは、弾道学的データを入力する性能を更に含む
ことを特徴とする請求項８に記載の距離計。
【請求項１０】
前記第１の動作モードは、ユーザプロフィールと関連して提供される弾道学的データを入力する性能を更に含む
ことを特徴とする請求項８に記載の距離計。
【請求項１１】
前記第１の動作モードは、２つ以上のユーザプロフィールと関連して提供される弾道学的データを入力する性能を更に含む
ことを特徴とする請求項８に記載の距離計。
【請求項１２】
前記第２の動作モードは、風データを測定する性能を更に含む
ことを特徴とする請求項８に記載の距離計。
【請求項１３】
前記風データは、風速データ及び風向データを含む
ことを特徴とする請求項８に記載の距離計。
【請求項１４】
本体と、
前記本体内に取り付けられていて、標的までの距離を測定するための測距システムと、  前記本体上に取り付けられていて、前記測距システムと連絡状態にある少なくとも１つのボタンと、
を備え、
前記少なくとも１つのボタンのうちの少なくとも１つは、多位置型ボタンであり、
前記多位置型ボタンを用いて入力される入力内容に基づいて、エレベーション及びウィンデージ設定値を計算する手段が更に設けられている
ことを特徴とする距離計。
【請求項１５】
標的までの距離を測定するための測距システムと、
ディスプレイと、
前記測距システムと連絡状態にあって前記ディスプレイ上に像を生じさせることができるプロセッサと、
前記ディスプレイ像の周囲に沿って指標を動かすことによって風速及び風向を前記プロセッサに入力するための入力部と、
を備えたことを特徴とする距離計。
【請求項１６】
前記指標は、風が吹いて来る方向を表示する矢印である
ことを特徴とする請求項１５に記載の距離計。
【請求項１７】
前記矢印は、前記ディスプレイの中心の方に向いている
ことを特徴とする請求項１６に記載の距離計。
【請求項１８】
第１の標的までの距離を測定するための測距システムと、
ディスプレイと、
前記測距システムと連絡状態にあって前記ディスプレイ上に像を生じさせるプロセッサと、
風速及び風向データを前記プロセッサに提供する入力部と、
前記プロセッサと連絡状態にある慣性航法ユニットと、
を備え、
前記プロセッサは、当該距離計が前記慣性航法ユニットからのデータに基づいて位置を変更すると、前記風速及び前記風向を計算して表示する
ことを特徴とする距離計。
【請求項１９】
前記プロセッサは、更に、前記ディスプレイ上に前記第１の標的のためのウィンデージ及びエレベーション設定値を計算して表示する
ことを特徴とする請求項１８に記載の距離計。
【請求項２０】
前記プロセッサは、前記第１の標的からの風速及び風向データを記憶し、更に、当該記憶した風速及び風向データに基づいて、第２の標的のためのウィンデージ及びエレベーション設定値を計算する
ことを特徴とする請求項１９に記載の距離計。
【請求項２１】
距離計で情報を視認する方法であって、
風データを前記距離計内に設けられたプロセッサに提供するステップを含み、前記距離計は、ディスプレイ、測距システム、及び慣性航法ユニットを有し、
弾道学的データを前記距離計内の前記プロセッサに提供するステップを含み、
前記距離計の前記測距システムを用いて第１の標的までの距離測定値を取得するステップを含み、前記プロセッサは、前記取得した距離測定値、弾道学的データ、及び提供された風データに基づいてエレベーション及びウィンデージ保持値を計算し、
前記計算したエレベーション及びウィンデージ保持値を前記距離計ディスプレイ内で視認するステップを含む
ことを特徴とする方法。
【請求項２２】
前記距離計上に設けられている入力部を用いて風データが前記プロセッサに提供されることを特徴とする請求項２１に記載の方法。
【請求項２３】
前記風データは、風速及び風向を含む
ことを特徴とする請求項２１に記載の方法。
【請求項２４】
風指標入力を用いて前記風向が前記プロセッサに提供される
ことを特徴とする請求項２３に記載の方法。
【請求項２５】
弾道学的データは、前記プロセッサ内に記憶されている弾道学的データである
ことを特徴とする請求項２１に記載の方法。
【請求項２６】
前記距離計の前記測定システムを用いて第２の標的までの距離測定値を取得するステップを更に含み、前記プロセッサは、前記取得した距離測定値、弾道学的データ、提供された風データ及び前記慣性航法ユニットからのデータに基づいてエレベーション及びウィンデージ保持値を計算し、
前記第２の標的について前記計算したエレベーション及びウィンデージ保持値を前記距離計ディスプレイ内で視認するステップを更に含む
ことを特徴とする請求項２１に記載の方法。
【請求項２７】
前記風データ及び前記弾道学的データは、前記第１の標的と前記第２の標的との両方について同一のデータである
ことを特徴とする請求項２６に記載の方法。
【発明の詳細な説明】
【技術分野】
【０００１】
本願は、２０１３年８月２２日に出願された米国特許仮出願第６１／８６８，９３０号及び２０１４年２月４日に出願された米国特許仮出願第６１／９３５，６６７号の優先権主張出願である。これら米国特許仮出願は、あらゆる目的に関して当該参照によりここに引用され、これらの開示内容全体が本明細書の一部とされる。
【０００２】
本発明は、一般に、測距装置の分野に関する。特に、本発明は、改良型ディスプレイ及び風機能を備えた距離計に関する。
【背景技術】
【０００３】
距離計は、標的に対して正確な射撃を行う際、多くの用途、例えば狩猟、射撃競技会、軍事又は法令施行、において射手を助けるために重要なデータを提供することができる。多くの従来型距離計は、光のレーザパルスが標的に達して反射されて光源に戻るまでの時間を計算することによって物体までの距離を求めるために、レーザビームを使用する。コンピュータがますます高性能化すると共に小型になっているので、種々のパラメータ、例えば特定のライフル、弾丸又は環境要因、に基づいて弾道学的データを射手に提供するために、レーザ距離計にコンピュータを組み込むことがますます普及している。かかる装置に関する一問題は、このような装置が正確な弾道学的特性を提供するために入力する必要のあるデータの量が多いために、プログラム又はカスタマイズすることが厄介な場合があるということにある。
【０００４】
最も従来型の弾道学的距離計は、２つの形式のうちの１つである。図１に示されているように、第１の形式は、一般的な弾道学的公式を用いて比較的単純なインターフェースでコンピュータ計算する基本型距離計１２である。かかる基本型距離計１２は、多くの特徴が存在するわけではないので、多くのボタンを必要としない。しかしながら、以下に説明するように、かかる基本型距離計１２のメニューは、ボタンオプションが制限されているために厄介な場合がある。図１に示されているように、基本型距離計は、２つのボタン、即ち、レーザ射撃（fire）ボタン１０及びメニューボタン２０を有し、これら両方のボタンは、単一位置（押し下げ）ボタンである。レーザ射撃ボタン１０の作動により、基本型距離計１２は、測距モードにあるとき、測定値をとり、例えば射程をきめる。メニューボタン２０の作動により、基本型距離計１２は、制限された数のオプション、例えばＬＥＤスクリーン輝度又は測距モード様式、を選択することができるメニューモードに入る。距離計メニュー入力のこの様式の一例を、Vortex Optics Ranger 1000 Rangefinderに見ることができる。しかしながら、この制限された情報の入力でさえも、ボタンの押し方の組み合わせが制限されているので、混乱を招く場合がある。基本型距離計１２の中には、複数の弾丸等級を一まとめにして、これらを平均し、それにより包括的な弾道学的解決策を提供するようになっているものがある。射程の短い発射（５００ヤード（４５７．２ｍ）未満）の場合、これは、許容限度内にあると言える。射程の長い発射又は極めて正確な発射が求められる場合、これは、十分に正確ではない場合が多い。
【０００５】
距離計の第２の形式は、図２に見えるような新型の距離計１００である。新型距離計１００により、ユーザは、多くの変数、例えば弾丸の弾道係数、砲口速度（初速）、気圧、エレベーション（着弾点の上下偏差）、弾丸ドラッグモデル、スコープ高さ、ゼロレンジ、及び多くの他の要因、を入力することができる。その目的は、ユーザに極めて正確な弾道学的解決策を与えることにある。しかしながら、既存の新型距離計１００を最初にセットアップするためのかかるデータの入力は、厄介であり、混乱を招く。図２に示されているように、新型距離計１００のかかる一例は、Gunwerks G7 BR2距離計である。この装置は、４つの異なるボタンを有し、これらのボタンの各々は、単一の位置（押し下げ）型のものである。ユーザは、新型距離計１００で測定値をとるようにするためには、レーザ射撃ボタン１１０を押さなければならず、或いは、メニューモードにアクセスするためには、モードボタン１２０を押して保持する場合がある。いったんメニューモードになると、ユーザは、種々のメインメニュー見出しを循環操作すると共に、上矢印ボタン１３０及び下矢印ボタン１４０を用いて個別のメニュー選択肢を調節する必要がある。これは、当該装置の周りの異なる位置に配置された２つの手を用いて複数のボタンを押す必要がある。G7 BR2は、新型距離計であるとはいうものの、プログラムするのが困難である。例えば、当該距離計のユーザに固有の弾道学的データを正確に計算するためには、ユーザは、使用中の小火器（firearm）に関する情報、例えば口径、銃身ねじれ、ねじれ方向、砲口速度、に加えて、環境要因、例えば風速及び風向、を含む情報を、当該装置に入力しなければならない。最後に、ユーザは、弾薬自体に関する情報を更に入力しなければならない。かかる弾薬自体の情報としては、弾道係数、弾丸重量、弾丸長さが挙げられるが、これらには限定されない。さらに、新型距離計１００、例えばG7 BR2は、より多くのボタン及び大きな形状要素（要因）を有する結果として、労力が増大すると共に製造に手が込むのでより高価である。新型距離計１００は又、多数のボタンが多数の入力ポイントを提供するので、液体及びデブリの入り込みの影響を受けやすい。
【０００６】
典型的なレーザ距離計に関する別の問題は、かかる距離計ではユーザが複数のセットアップに関連付けられた情報を記憶することができない、ということにある。例えば、射手が複数丁のライフルを所持し、当該射手が自分の銃の全てについて同一のレーザ距離計を用いたいと思った場合、その射手は、自分が銃を持ち代える度に、利用可能なパラメータに関するデータセット全体を距離計に入力しなければならない。これは、特にユーザが銃を任意の頻度で持ち代えたいと思う場合、時間がかかると共に、フラストレーションの生じるプロセスであると言える。
【０００７】
既存の距離計に関する更に別の問題は、弾道学的特徴の複雑精巧さに関する。幾つかの既存の弾道学的距離計は、ユーザインターフェースを容易にするために、包括的な弾道学的公式及びコンピュータ計算を提供するが、このような距離計は、真剣な射手にとって十分な程には正確でないかカスタマイズ可能ではない場合が多い。その結果、ユーザが自分でカスタマイズしたデータを入力することが容易であって、更にユーザが複数の銃／弾薬組み合わせについてそのようなカスタマイズされたデータを記憶する（させる）ことができるというパッケージで、機能豊富な弾道学的プログラムを提供する態様が要望されている。
【０００８】
情報の入力を助けるため、弾道学的プログラミングを可能にする幾つかの既存の距離計は、多くのボタンを有する。それにより、かかる距離計は、製造するのが高価となり、しかも使用に当たって混乱をきたす。加うるに、追加のボタンを設けると、ボタンのための適当なスペースを提供するために大きな形状要素の装置ハウジングが必要になる。距離計が混乱を招けば招くほど、ユーザが利用可能な特徴の全てを利用する可能性がそれだけ一層低くなる。それにより、ユーザがもしそうでない場合に得ることができる精度よりも、ユーザの精度が低くなる。追加のボタンを設けると、出費、労働集約度、製造の困難さ、における増大に繋がり、液体及びデブリが距離計に入るエントリポイントの数も増大する。
【０００９】
他の既存の距離計は、機能豊富な弾道学的プログラムを有するが、１組の単一位置型ボタンしか提供していない。かかる距離計も又、どのボタンを押すべきか、及び、メニューモードに入り、メニューオプションを循環操作し、又はメニューオプションの設定値を循環操作するためにどのような順序でやるか、を決めることが困難な場合があるので、混乱を招く。特に、既存の距離計は、風速及び風向を入力する直観的なやり方を備えていない。したがって、機能豊富な弾道学的プログラムを備えていて、ユーザが使用しやすいディスプレイ／メニューレイアウトをナビゲートできるように、できるだけ少ない直観で分かるボタンを備えた使用しやすい距離計が要望されている。
【００１０】
弾道学的距離計に関する別の困難さは、風に関するデータに関する。風は、射撃を行う上で、特に注目すべきである。というのは、風は、弾丸の軌道に大きな影響を及ぼす場合があるからである。また、風が常時変わっていると仮定すると、直接的に測定することが困難だからである。かくして、ユーザが風向及び風速を常時把握するのを助ける装置又は特徴を距離計に組み込むことが、有利である。現在、風を直接的に測定できる装置が市場に存在するが、かかる装置は、大型であり、高価であり、又はバッテリ消費量に関して負担をかける。例えば、トリー・パインズ（Torrey Pines）製のVemon LXユニットは、射手のためにリアルタイム状態の風を読み取る。この装置は、リアルタイム風を計算して追跡することができるが、類似の特徴を有することが、ハンター、軍事及び政令施行者にとって有利な場合がある。これは、安価であり、手持ち型レーザ距離計に嵌まり込むのに足るほどに携帯可能であり、追加のバッテリ電力をほとんど又は全く使用せず、最小限のユーザ入力で風データを常時把握できるに足るほど使用しやすいものであった。
【００１１】
風データを読み取る際、従来方法では、風がやってくる方向を見極め、次に風速を求める。例えば、１０ｍｐｈでの３６０°の風というのは、風が１０ｍｐｈで南に向かって３６０°（真北）から来ていることを意味している。この慣習的表現は、素人には誤解される場合が多いが、これに対して、気象予報士、パイロット、又は天候についての奥深い知識を有することが求められる人は、これを正確に理解することであろう。このことを考慮して、風入力が全ての人々にとって直観で分かり、風向の誤解のないことが重要である。
【発明の概要】
【００１２】
本発明は、標的までの距離を測定する距離計を提供する。本発明によれば、距離計は本体を有し、本体はディスプレイを含む。測距システム及びプロセッサが本体内に設けられており、当該プロセッサはディスプレイ上に表示するために情報を制御することができる。第１のボタンが、測距システムと連絡関係をなして本体に取り付けられている。第２のボタンが、プロセッサと連絡関係をなして本体に取り付けられており、当該第２のボタンは、多位置型ボタンである。慣性航法ユニットが、プロセッサと連絡関係をなして本体内に設けられるのが良い。第１のボタンを作動させると、距離計は、射程（距離）測定値をとる。多位置型ボタンの作動により、距離計の動作のための設定値の調節が可能である。多位置型ボタンの作動により、プロセッサ中へのデータの入力も可能である。多位置型ボタンは、５位置ボタンであるのが良い。距離計は、ワイヤレス接続方式を用いて遠隔コンピュータ計算装置と通信するのが良い。
【００１３】
当業者には理解されるように、本発明の１つ又は２つ以上の観点は、或る特定の目的を満たすことができ、１つ又は２つ以上の他の観点は、或る特定の他の目的の達成をもたらすことができる。本発明の他の目的、特徴、恩恵及び利点は、当該発明の概要及び開示される実施形態の説明において明らかになると共に当業者には容易に明らかであろう。かかる目的、特徴、恩恵及び利点は、添付の図面及び当該図面から引き出される全ての妥当な推定と関連して理解される時、上述のことから明らかになろう。
【図面の簡単な説明】
【００１４】
【図１】従来技術の基本型距離計の斜視図である。
【００１５】
【図２】従来技術の新型距離計の平面図である。
【００１６】
【図３Ａ】本発明による改良型ディスプレイ付きの距離計の概略図である。
【００１７】
【図３Ｂ】本発明による距離計に用いることができる測距システムの概略図である。
【００１８】
【図４Ａ】本発明による改良型ディスプレイ付き距離計の斜視図である。
【００１９】
【図４Ｂ】本発明による１つの多位置型ボタンの斜視図である。
【００２０】
【図４Ｃ】本発明による第２の多位置型ボタンの斜視図である。
【００２１】
【図５】ボタンの概略図、及び、「測距モード」にある時に図４の距離計を見たときの図である。
【００２２】
【図６】「メニューモード」にある時に図４の距離計を見たときに見える図である。
【００２３】
【図７】「メニューモード」にある時に図４の距離計を見たときに見える図であり、メニュー選択肢が図６から変化している。
【００２４】
【図８】「メニューモード」にある時の図４の距離計の図であり、輝度調節設定を示している。
【００２５】
【図９】「メニューモード」にある時の図４の距離計の図であり、「基本」モード設定オプションを示している。
【００２６】
【図１０】「メニューモード」にある時の図４の距離計の図であり、「上級」モード設定オプションを示している。
【００２７】
【図１１】「メニューモード」にある時の図４の距離計の図であり、ブルートゥース（登録商標）（Bluetooth ）接続が使用可能であることを示している。
【００２８】
【図１２】「測距モード」にある時の図４の距離計の図であり、使用の際のユーザプロフィール、バッテリレベル、ブルートゥース接続が使用可能であるか否か、を示すと共に、相対湿度及び風速をも示している。
【００２９】
【図１３】「測距モード」にある時の図４の距離計の図であり、バッテリ、ブルートゥース及びプロフィールに加えて、射程を求める前の風速及び風向を示している。
【００３０】
【図１４】「測距モード」にある時の図４の距離計の図であり、バッテリ、ブルートゥース及びプロフィールに加えて、距離及びエレベーション並びにＭＯＡ内のウィンデージ保持値を示している。
【００３１】
【図１５】「上級モード」のための「メニューモード」にある時の図４の距離計の図であり、バッテリ、ブルートゥース及びプロフィールに加えて、プロフィールの選択を示している。
【００３２】
【図１６】「上級モード」のための「メニューモード」にある時の図４の距離計の図であり、バッテリ、ブルートゥース及びプロフィールに加えて、測定系選択を示している。
【００３３】
【図１７】「上級モード」のための「メニューモード」にある時の図４の距離計の図であり、バッテリ、ブルートゥース及びプロフィールに加えて、射程単位の選択を示している。
【００３４】
【図１８】「上級モード」のための「メニューモード」にある時の図４の距離計の図であり、バッテリ、ブルートゥース及びプロフィールに加えて、弾道学的単位選択を示している。
【００３５】
【図１９】「上級モード」のための「メニューモード」にある時の図４の距離計の図であり、バッテリ、ブルートゥース及びプロフィールに加えて、磁気方位角選択を示している。
【００３６】
【図２０】「上級モード」のための「メニューモード」にある時の図４の距離計の図であり、バッテリ、ブルートゥース及びプロフィールに加えて、緯度選択を示している。
【００３７】
【図２１】「上級モード」のための「メニューモード」にある時の図４の距離計の図であり、バッテリ、ブルートゥース及びプロフィールに加えて、ゼロ射程選択を示している。
【００３８】
【図２２】「上級モード」のための「メニューモード」にある時の図４の距離計の図であり、バッテリ、ブルートゥース及びプロフィールに加えて、銃身ねじれ選択を示している。
【００３９】
【図２３】「上級モード」のための「メニューモード」にある時の図４の距離計の図であり、バッテリ、ブルートゥース及びプロフィールに加えて、ねじり方向選択を示している。
【００４０】
【図２４】「上級モード」のための「メニューモード」にある時の図４の距離計の図であり、バッテリ、ブルートゥース及びプロフィールに加えて、口径選択を示している。
【００４１】
【図２５】「上級モード」のための「メニューモード」にある時の図４の距離計の図であり、バッテリ、ブルートゥース及びプロフィールに加えて、弾道学的形状選択を示している。
【００４２】
【図２６】「上級モード」のための「メニューモード」にある時の図４の距離計の図であり、バッテリ、ブルートゥース及びプロフィールに加えて、弾道係数選択を示している。
【００４３】
【図２７】「上級モード」のための「メニューモード」にある時の図４の距離計の図であり、バッテリ、ブルートゥース及びプロフィールに加えて、砲口速度選択を示している。
【００４４】
【図２８】「上級モード」のための「メニューモード」にある時の図４の距離計の図であり、バッテリ、ブルートゥース及びプロフィールに加えて、弾丸重量選択を示している。
【００４５】
【図２９】「上級モード」のための「メニューモード」にある時の図４の距離計の図であり、バッテリ、ブルートゥース及びプロフィールに加えて、弾丸長さ選択を示している。
【００４６】
【図３０】「上級モード」のための「メニューモード」にある時の図４の距離計の図であり、バッテリ、ブルートゥース及びプロフィールに加えて、ドープ選択を示している。
【００４７】
【図３１】「上級モード」のための「メニューモード」にある時の図４の距離計の図であり、バッテリ、ブルートゥース及びプロフィールに加えて、コンパス機能を示している。
【００４８】
【図３２】「上級モード」のための「メニューモード」にある時の図４の距離計の図であり、バッテリ、ブルートゥース及びプロフィールに加えて、温度読みを示している。
【００４９】
【図３３】「上級モード」のための「メニューモード」にある時の図４の距離計の図であり、バッテリ、ブルートゥース及びプロフィールに加えて、射程、エレベーション、及びウィンデージを求める前の風速及び風向を示している。
【００５０】
【図３４】「上級モード」のための「メニューモード」にある時の図４の距離計の図であり、バッテリ、ブルートゥース及びプロフィールに加えて、計算されたエレベーション及びウィンデージ設定値を示している。
【００５１】
【図３５】風に関する情報を距離計ディスプレイ上に表示する方法を示す流れ図である。
【００５２】
【図３６】本発明による改良型ディスプレイ付き距離計の概略図であり、慣性航法ユニット、保存ユーザ弾道学的プロフィール、保存ユーザ風入力部、環境センサ、及び測距システムを含むプロセッサのための幾つかの入力源を示している。
【００５３】
【図３７Ａ】本発明による距離計内の慣性航法ユニットが他のデータ入力の再設定なしでどのようにして記憶された風データを新たな標的に利用可能とすることができるかを示す一連の概略図のうちの１つである。
【図３７Ｂ】本発明による距離計内の慣性航法ユニットが他のデータ入力の再設定なしでどのようにして記憶された風データを新たな標的に利用可能とすることができるかを示す一連の概略図のうちの１つである。
【図３７Ｃ】本発明による距離計内の慣性航法ユニットが他のデータ入力の再設定なしでどのようにして記憶された風データを新たな標的に利用可能とすることができるかを示す一連の概略図のうちの１つである。
【発明を実施するための形態】
【００５４】
図３は、改良型ディスプレイ付きの距離計（レンジファインダ）２００の概略図であり、ここでは、当該距離計は、本体５２０、見晴らしのきく箇所から標的までの視線範囲を測定する測距システム５０４、ディスプレイ３００、及び、測距システム５０４と連絡状態にあるプロセッサ５０８、を含む基本コンポーネントを備えた状態で示されている。プロセッサ５０８は、マイクロプロセッサ又はＣＰＵであって良く、或る特定の実施形態についてはメモリを含む。距離計２００は、情報及びデータをプロセッサ５０８に提供する１つ又は２つ以上の入力部２１５、例えば１つ又は２つ以上のボタン又は多位置型ボタン２２０、を更に有するのが良い。１つ又は２つ以上の入力部２１５は、ユーザがデータ又は設定値を選択し、これらを装置に入力し又はインポートすることを許容可能な多くの異なるフォーマットをとることができる。物理的入力機構体、例えばボタン、スイッチ、キー又はスクリーン、並びに、例えば他の装置又は源に接続可能なポート（例えば、ＨＤＭＩ（登録商標）、ＵＳＢポート）、を用いることができる。かかる入力部は、以下に詳細に説明するような多くの異なるパラメータに関するのが良い。距離計２００は、プロセッサ５０８と相互作用する慣性航法ユニット５１６を更に有するのが良い。
【００５５】
測距システム５０４は、物体又は標的５００までの距離を求めるためにレーザビームを使用し、レーザパルスを標的５００に向かって送って当該パルスが標的で反射されて戻ってくるまでの時間を測定することによって動作する。例示のレーザ測距システム５０４の基本コンポーネントが、図３Ａに示されている。図３Ａでは、レーザパルスが、トランスミッタ、例えばパルスレーザダイオード５０１、から放出される。放出されたビームの一部は、ビームスプリッタ５０２を通って進み、一部が反射されて検出器５０５に差し向けられる。放出されたレーザパルスは、伝送レンズ５０３を通って標的５００まで進む。この標的５００は、レーザパルスの一部分を反射して受光レンズ５０６を通し、次にレシーバ５０７を通してマイクロコントローラユニット５１０に戻す。このマイクロコントローラユニット５１０は、周知の数学的原理を用いて標的５００までの距離を計算する。測距システム５０４は、追加又は代替のコンポーネントを含むより複雑なシステムであっても良く、かかるコンポーネントとしては、例示として、ゲイン制御コンポーネント、充電キャパシタ、アナログ‐ディジタル変換器が挙げられる。
【００５６】
慣性航法ユニット５１６が、弾丸の軌道、ホールドオーバー、又はユーザにとって関心があり得る他の変数、に関する情報を計算するために弾道学的情報と関連して距離計２００内で用いられるのが良い。慣性航法ユニット５１６は、追加的に又は代替的に、当該慣性航法ユニット５１６からのデータに基づいて、距離計２００が位置を変更する時に風速及び風向の計算及び表示を助けるために使用され得る。その結果、距離計２００の位置が変わると、新たな風速及び風向がディスプレイ３００上に描写される。一実施形態では、慣性航法ユニット５１６は、３軸コンパス、３軸加速度計、及び３軸ジャイロスコープを含む。他の実施形態では、３軸コンパス、３軸加速度計、及び３軸ジャイロスコープは、一体型ユニットとして距離計２００に組み込まれる代わりに、適当なソフトウェア付きで個々のコンポーネントとして距離計２００に組み込まれ得る。そして、更に別の実施形態では、ジャイロスコープが省かれても良い。さらに、加速度計に代えて、他のチルトセンサを用いることができる。他のチルトセンサの例としては、電解液レベルチルトセンサ、光学バブルチルトセンサ、容量型バブルチルトセンサ、振子機構体、回転光エンコーダ、回転電気抵抗エンコーダ、ホール効果デバイス、及びセラミック容量型チルトセンサが挙げられる。
【００５７】
一実施形態では、改良型ディスプレイ付きレーザ距離計２００は、図４に示されているように、レーザ射撃ボタン２１０及び多位置型ボタン２２０を有する。距離計２００は、異なる機能を備えた多数の「モード」の状態で動作可能である。例えば、ユーザ入力又はデータを入力するためには、距離計２００は、「メニューモード」であり得るが、測距目的での使用中は、「測距モード」であり得る。これよりも多い又は少ない「モード」が、本発明の内容と合致する距離計内に設けられ得る。
【００５８】
図５に示されているように、距離計２００は、測距モードにあるとき、ディスプレイ３００を提供する。レーザ射撃ボタン２１０の作動により、距離計２００は、測距モードにあるとき、例えば単位付き射程３０８のような測定値を取得する。レーザ射撃ボタン２１０を作動させたときに測定することができる他の変数、例えば、保持値３０６の測定値の単位（角度の分、ＭＲＡＤ、インチ、センチメートル等）、エレベーションホールドオーバー値３１０、風保持値３１２、並びに、図５には示されていない他の値、例えば気圧又は温度、もディスプレイ３００上に表示され得る。図５に示されているように、例えば、ディスプレイは、例えば各々がそれ自身のプロフィールを有する複数の銃又はセットアップのためのプロフィール設定値３０４を表示することもできる。図示の実施形態では、距離計２００は、複数のプロフィールを記憶することができ、従って、ユーザは、複数の銃について弾道学的情報の幾つか又は全てをプログラムすることができ、そして後での使用のためにプロフィール情報を記憶することができる。ディスプレイ３００は、上述したように表示されるデータに加えて、照準合わせのための十字線３０２を更に有するのが良い。
【００５９】
一実施形態では、距離計２００は、機能豊富なメニューを有し、図４Ａに示されているようにメニューをナビゲートすると共にデータを入力するためのボタンとして単一の多位置型ボタン２２０を用いることによって、多数のボタンの必要性に取って代わる。多位置型ボタン２２０は、メニューモードにあるときにメニューオプション４０２及びメニュー選択肢４０４（図６）によりナビゲーションをより直観的にする。当然のことながら、多位置型ボタン２２０の別の入力部２１５、ボタン、又は他の様式が、本発明の範囲から逸脱しないで使用され得る。多位置型ボタン２２０は、左に、右に、前に、後ろに、そして真下に、押すことができる。変形例として、４位置ボタン２２２が図４Ｂに示され、５位置ボタン２２４が図４Ｃに示されている。５位置ボタンは、ユーザに対する複雑さの度合いを最小限に抑えた状態で融通性を提供する。例えば、図４Ｃに示されている５位置ボタン２２４では、当該ボタンを、５つの異なる方向、例えば前方方向、後方方向、右側方向、左側方向（図中矢印で示されている）及び真っ直ぐ上下の方向（ボタンの中心２７０を押すことによって）、に作動することができる。しかしながら、４位置（例えば図４Ｂ）又はそれ以上のボタン又はスイッチも使用できる。
【００６０】
他の例示の形態は、多位置型ボタン２２０の中心２７０を押して保持し、それにより図５に示されているようにメニューモードに入る態様を含む。いったんメニューモードになると、例えば多位置型ボタン２２０の右部分２５０及び左部分２６０を押すことによって、種々のメニューを循環操作することができる。次に、例えば多位置型ボタン２２０の上部分２３０及び下部分２４０を用いることによって、メニュー選択肢を調節することができる。
【００６１】
多位置型ボタン２２０を用いてメニューモードで調整することができる変数及び特徴のタイプは、プロフィール、風速、弾道係数、砲口速度、ドラッグ標準、照準高さ及びゼロ射程を含むが、これらに限定はされない。幾つかの実施形態では、調節することができ又はデータを入力することができる距離計２００のパラメータを、メニューオプション４０２及びメニュー選択肢４０４として分類しておくことができる。例えば、メニューオプション４０２は、パラメータ又は変数それ自体であっても良く、例えば、射程単位４３０又は弾道係数４７５である。この場合、メニュー選択肢４０４は、当該パラメータのための選択値又はデータ入力であって良く、選択可能なオプションをスクロールしてクリックすることによって提供できる、あるいは、距離計２００それ自体に手動で又は別の装置からのデータ入力を介して入力しても良い。射程単位の例（図１７に示されている）では、メニューオプション４０２は、射程単位の選択を可能にし、ユーザは、メニュー選択肢４０４の中からヤード又はメートルを選択することができる。
【００６２】
図６は、一実施形態において、ユーザプロフィール設定値３０４についてのメニューオプション４０２及びメニュー選択肢４０４の選択（の態様）を示している。別の例として、図７に示されているように、例えば、砲口速度オプション４１２が見えるようになるまで多位置型ボタン２２０の右部分２５０又は左部分２６０を作動することによって、砲口速度オプション（Muz Vlcty）４１２が選択される。所望のメニューオプション４０２、この場合砲口速度オプション４１２、がいったん選択されると、当該メニューオプション４０２に関するメニュー選択肢４０４が、多位置型ボタン２２０の上部分２３０及び下部分２４０を作動させることによって調節され得る。図７に示されているように、砲口速度オプション４１２についてのメニュー選択肢４１４は、２７５０フィート（８３８．２ｍ）に調節された。
【００６３】
或る特定の実施形態では、頻繁に変化する変数、例えばプロフィール３０４又は風速３１４が、依然として測距モードにある間、メニューモードに入らない状態で、調節され得る。図５に戻ってこれを参照すると、例えば、「測距モード」にある間、多位置型ボタン２２０の右部分２５０及び左部分２６０は、風速３１４を調節することができ、一方、多位置型ボタン２２０の上部分２３０及び下部分２４０は、例えば２人以上の人が射撃を行っているとき又は異なる銃の発射が行われているとき、ユーザプロフィール設定値３０４を変更することができる。レーザ射撃ボタン２１０が作動されると、距離計２００は、測定値、例えば射程、圧力、温度及び角度測定値、を取得する。この情報は、多位置型ボタン２２０の中心２７０が作動されて最後の測定データを削除するまで、保持されることになる。距離計２００は、風値３１４及び手動入力したプロフィール設定値３０４と共に入力されたデータと一緒に保存測定値を用いて、適当な弾道データを表示する。幾つかの変数、例えば風速３１４や風向が変化すると、多位置型ボタン２２０の上部分２３０及び下部分２４０が、依然として測距モードにある間に作動され得て、それにより風データ及び保存プロフィール設定値３０４と関連したデータと組み合わされる新たに得られた測定値を用いて新たな弾道データをリアルタイムで得ることができる。この動作の一利点は、取得することが必要な測定値の組が１つだけで、各風速又はプロフィール選択のために独立した測定値を取得することなく、当該たった１組の測定値を複数の弾道データ変数に適用できるということにある。
【００６４】
ボタンの個数及び配置に関する複数の変形例が、本発明の範囲内に含まれるものとして想定される。変形実施形態では、多位置型ボタン２２０上の任意のボタンを押すことによって、メニューボードに入ることができる。別の変形実施形態では、距離計２００は、レーザ射撃ボタン２１０なしの多位置型ボタン２２０しか備えない。多位置スイッチ２２０は、例えば多位置型ボタン２２０の上部分２３０が１回の測定のために押されるか又はリアルタイム連続測定値を得るために押されて保持される場合、レーザ射撃ボタン２１０として機能することができる。多位置スイッチ２２０は又、多位置型ボタン２２０の中心部分２７０が押されて保持され、それによりメニューモードに入るときに、メニューオプション４０２をナビゲートしてメニュー選択肢４０４を識別（特定）すると共にデータを手動で入力するための機能ボタンとしても働く。
【００６５】
図８〜図３４は、改良型ディスプレイ付きの距離計２００の概略図であり、特に、ディスプレイ３００上に提供された情報の例を示している。図８〜図３４に示されている図は、ユーザによって単純にナビゲート可能な多くのメニュー及び設定オプションの例を示している。改良型ディスプレイ付き距離計２００の一実施形態では、プロフィールを完成させるために必要な情報を入力することは、１５個の異なるパラメータを設定するステップを含み、かかるパラメータは、（１）測定系（英ヤードポンド法／メートル法）、（２）射程単位（ヤード／メートル）、（３）弾道単位（角度の分“ＭＯＡ”又はＭＲＡＤ（メートル法））、（４）磁気方位角（Ｅ／Ｗ）、（５）緯度（＋／−０．００００Ｎ／Ｓ）
、（６）ゼロ射程（１００＋／−）、（７）銃身ねじれ（１／２０＋／−）、（８）ねじれ方向（Ｌ／Ｒ）、（９）口径（７ｍｍ、０．３３８、０．５００、０．２２３、０．２７０、０．３０８）、（１０）ＤＲＧ  ＳＴＤ（弾道形状）（Ｇ１，Ｇ７）、（１１）弾道係数（０．５００＋／−）、（１２）砲口速度（２７００．００  ｆ／ｓ  ＋／−）、（１３）弾丸重量（１１．５０グレイン＋／−）、（１４）弾丸長さ（１．００インチ（２．５４ｃｍ）＋／−）、及び（１５）ＤＯＰＥ（キープ／ダンプ）である。「個人装備に関するデータ（Data On Personal Equipment）」又は「先約のデータ（Data Of Previous Engagement ）」を表すＤＯＰＥは、距離計上に記憶されたエレベーション及びウィンデージ（風の影響による左右偏差）設定値を指している。これよりも多い又は少ないパラメータが、本発明に従って距離計内に提供されても良い。
【００６６】
図面において、図８は、ディスプレイ３００の輝度設定値３２０を示している。図９及び図１０は、「基本」モード設定値３３０と、距離計の使用について調節できるパラメータが少ない又は多い「上級」モード設定値３４０と、の間でメニューを切り替えることができることを示している。例えば、「基本」設定では、ユーザは、調節に利用できる２〜３のキーパラメータを有することができ、これに対し、「上級」設定では、ユーザは、より多くのパラメータを調節したり入力したりすることができ、距離計の複雑精巧なカスタマイゼーション及び使用を達成することができる。変形例として、「基本」設定値は、最も一般的に用いられている設定値であって良く、「上級」設定値は、それほど頻繁には用いられない設定値であって良い。
【００６７】
図１１に示されているように、例えば、距離計２００は又、ブルートゥース（Bluetooth）（登録商標）（ブルートゥース設定値３５０に示されている）又は任意他の適当なワイヤード若しくはワイヤレス接続方式を用いて、別の装置にリンクされてこれと通信可能であるのが良い。他の装置は、ユーザが距離計２００とは別個のプロフィールデータを設定し、次に当該データを距離計にアップロードすることができるソフトウェアを含むのが良い。これにより、距離計２００を用いる場合の複雑さを更に減少することができる。例えば、距離計２００は、スマートフォン、例えばiPhone（登録商標）又はAndroid 装置上で動作（ラン）する対応アプリケーションを有するのが良い。ユーザは、当該装置上に弾道プロフィール設定値３０４を生じさせ、次にこれを距離計２００にアップロードするのが良い。同様に、距離計２００は、当該距離計の使用の仕方に関する情報のログ又は分析データを維持可能であるのが良く、当該ログ又は分析データは、ユーザが後でレビューできるスマートフォン又は他の装置に転送され得る。そして、ワイヤードインターフェースかワイヤレスインターフェース、例えばブルートゥース接続方式を用いて、距離計ソフトウェアを定期的にアップデートするのが良い。
【００６８】
図１２〜図１４は、距離計の一実施形態に関する「基本」設定値で利用できるパラメータを示している。図１２は、多くの基本装置パラメータを示しており、かかるパラメータは、湿度３６０、風速３１４、使用中のユーザプロフィール３０４、バッテリレベル３７０及びブルートゥース接続性３５０を含む。図１３は、射程を求める前の風速３１４及び風向（風指標５１２を介する）を示している。射程を求めた後、図１４は、射程３８０、即ち、エレベーションホールドオーバー値３１０及び風保持値３１２（ＭＯＡで表されている）と共に標的までの距離、を示している。
【００６９】
図１５〜図３０は、距離計２００の一実施形態に関する「上級」設定の際に調節のために利用できるパラメータ、例えば、ユーザプロフィール設定値３０４、測定系４２０、射程単位メニューオプション４３０、弾道単位オプション４３５、磁気方位角オプション４４０、緯度オプション４４５、ゼロ射程オプション４５０、銃身ねじれオプション４５５、ねじれ方向オプション４６０、口径オプション４６５、弾道形状オプション４７０、弾道係数オプション４７５、砲口速度オプション４１２、弾丸重量オプション４８０、弾丸長さオプション４８５、及びドープオプション４９０、を示している。図示のメニューオプション４０２の各々に関し、ユーザは、所望のメニュー選択肢４０４から選択を行うことができ、又は、所望のメニュー選択肢４０４を入力することができる。
【００７０】
距離計２００は、或る特定の環境センサ５３０、例えば温度計、コンパス、圧力センサ、湿度、風向及び風速、又は他の環境上の特徴を測定するセンサ、を更に有するのが良い。図３１及び図３２は、それぞれ、コンパス機能３７５及び温度の読み３８５を示している。図３３は、「上級」設定値が使用中であるときの距離計ディスプレイ３００を示しており、特に、射程、エレベーション及びウィンデージを求める前の、風速及び風向を示している。図３４は、上級モード実施形態における計算されたエレベーション及びウィンデージ設定値の例を示している。
【００７１】
上述したように、必要なデータの全てを入力するプロセスは、多位置型ボタン２２０を用いて大幅に単純化することができる。それは、使用するのに１本の指しか必要としない。距離計を用いるために、ユーザは、前述の多位置型ボタン２２０を用いて「プロフィール」を選択することができ、又は、自分の弾道情報を入力することができる。次に、ユーザは、多位置型ボタン２２０の上部分２３０及び下部分２４０を用いて現在の風速を設定することができる。そして、ユーザは、左部分２６０及び右部分２５０を用いてディスプレイ３００の周囲に沿って矢印を動かして風向を指示することができる。風速及び風向が提供された後、ユーザは、標的に照準合わせすることができ、そしてレーザ射撃ボタン２１０を押すことができ、それにより先に提供された弾道情報に基づいて標的までの距離（即ち、射程３８０）、並びに、ユーザが発射のために必要とするエレベーション及びウィンデージ設定値（３１０，３１２）、を計算して表示する。
【００７２】
或る特定の実施形態では、距離計２００は、ＤＯＰＥ情報を「キープ」する又は「ダンプ」するよう選択することができる。図３０は、ユーザが「キープ」又は「ダンプ」設定値を選択するスクリーンを示している。射程を読み取った後にＤＯＰＥ情報を保持する際の思想には２つの流派が存在する。ユーザの中には、射程を読み取って正確な発射のために自分のＤＯＰＥ情報（ウィンデージ及びエレベーション調整値）を得て、そして別の射程が読み取られるまで当該情報をスクリーン上に保持したいと考える人がいる。ユーザが「キープ」を選択する場合、ＤＯＰＥ情報は、別の射程が読み取られるまで、距離計内に保持されたままであろう。「キープ」モードであっても、スクリーンは、或る特定の時間（例えば、１０秒）後に電源をＯＦＦにして、バッテリ寿命を節約する。スクリーンが電源をオフにした後ユーザが自分のＤＯＰＥ情報を忘れた場合、ユーザは、レーザ射撃ボタン２１０を１度押すだけで、ディスプレイ３００のスクリーンをオンに戻すことができ、するとユーザのＤＯＰＥ情報は、依然として、ディスプレイ上に存在する。多くの場合、距離計を用いた極めて長い射程の発射は、正確に測距するのが困難である。というのは、標的は、極めて小さい場合があり、しかもユーザが距離計を極めて安定した状態に保持しなければならないからである。距離計が事実上正確な標的を外して測距したとしても気楽でいられるよう多くの射程を取得する場合がある。かくして、スクリーンの電源が遮断されて復旧した後でも、別の射程が読み取られるまでは、距離計内に記憶されたＤＯＰＥを無期限に「キープ」可能であることが有利である。
【００７３】
別の流派の思想は、ユーザが「古い」又は時代後れのＤＯＰＥを使用したいとは思わず、且つ、考えられる別のユーザに誤ったＤＯＰＥでダイヤル調整させて、それにより他のユーザが発射に失敗して欲しくない、ということにある。これは、特に、複数の標的を撃つ際の軍事用途に当てはまる。ユーザは、複数の標的を測距し、距離計を下に置き、最後の射程／ＤＯＰＥ情報を得るためにどの標的を用いたかを忘れる場合がある。ユーザは、数分後に距離計を拾い上げてディスプレイスクリーンの電源を復旧し、ユーザが正しいと考える情報を用いるが、これは、実際には、古い又は異なる標的についてであったりする。このシナリオを防止するため、ユーザは、ＤＯＰＥ設定値を「ダンプ」に設定したい場合がある。「ダンプ」設定では、スクリーンの電源が切れるたびに、距離計はＤＯＰＥ情報を消去ないし「ダンプ」する。それにより、ユーザは、別の射程を読み取って新たなＤＯＰＥ情報を得る必要がある。
【００７４】
図１３及び図３３に示されているように、メニューシステムを介して、風データは、極めて容易で直観的で迅速な態様で、入力することができる。風データは又、ユーザの弾道情報を調整するために、射程が読み取られた後であっても調節することができる。風データ例えば風速及び風向は、環境センサ５３０により又は多位置型ボタン２２０を介するエントリにより、距離計２００に入力することができ、プロセッサ５０８によって使用することができる。図１３は、ウィンデージ及び射程データを求める前に現在の風速及び風向を示す基本モードでのディスプレイ３００を示している。同様に、上級モードでは、図３４は、射程、エレベーション及びウィンデージを求める前の現在の風速及び風向を示すディスプレイ３００を示している。
【００７５】
一実施形態では、風データは、多位置型ボタン２２０を用いてプロセッサに提供されるのが良い。図１３及び図３３に示されているように、風指標５１２がディスプレイ３００内に提供されている。風指標５１２は、矢印、ポインタ、カーソル又は他のマーカであるのが良い。図示のように、風指標５１２は、ディスプレイの中心に向いた矢印であり、ディスプレイの外縁に沿って３６０°回転され得る。図示のように、ＯＬＥＤ、ＬＣＤ、又は類似の形式のディスプレイであり得る距離計２００のディスプレイ３００上の表示の外縁周りに、ディスプレイの縁のところに単一の矢印が存在し、当該矢印がディスプレイの中心に向いている。このディスプレイがディスプレイの中心のところにユーザが位置しているとシミュレートすると共にディスプレイの縁のところに風が位置しているとシミュレートしていることが、ユーザにとって直ちに直観的であろう。矢印をディスプレイの中心の方へ向けることによって、ユーザが多位置型ボタン２２０の左／右位置を用いて矢印を風がやってきている位置に動かすだけですむということが、ユーザには明らかである。数値表現の風向を用いる場合、或いは、ユーザがディスプレイ全体を横切って矢印を位置させようとする場合、或いは、ユーザがディスプレイの中心又は外縁のところに位置した矢印を外方に向ける場合、風が「どこかから来ている」ことと、風が「どこかに行っている」ことと、を混同する難しさがある。というのは、風が来ているところと、風が行っているところと、のいずれに矢印が向いているか、ユーザには分からないからである。
【００７６】
かくして、図面中の風指標５１２を用いるため、ユーザは、自分がディスプレイの中心に立っていると想像して、多位置型ボタン２２０を使用してユーザが標的に向いたときに風がやってくる場所の時計コード位置のところに風指標５１２を配置する。例えば、ユーザが自分の標的に向いていると共に風が１０ｍｐｈで３時の位置からやって来ている場合、ユーザは、多位置型ボタン２２０を用いて風指標５１２を３時の位置に動かし、更に多位置型ボタン２２０を用いて風速を１０ｍｐｈに合わせて増減し、そしてレーザを射撃してユーザのＤＯＰＥ及び標的までの射程を得る。距離計が、磁気変化を補償することも可能な内蔵コンパスを装備している場合、当該距離計２００は又、風データがユーザによって入力されているとき又は射程を計算しているときに距離計が向いている真の方位を記録する。次に、距離計２００のプロセッサ５０８は、真北から遠ざかる磁気シフト及びコリオリ効果を考慮に入れて、風の方位方角を計算し、そしてこれらの計算結果を用いて最適な弾道解決策を与えることができる。かくしてユーザは、風がやって来ている場所の時計コードのところに矢印を配置するだけで良く、次に、測距前に風速を設定するだけで良い。
【００７７】
ユーザが風向及び風速をいったん設定すると、風データがプロセッサ５０８のメモリ内に記憶される。次の射程測定値がとられた時点で、距離計２００は、慣性航法ユニット５１６を用いて、距離計が向いているのがどの方向であるかを知り、更に記憶された風がやってくるのがどの方向であるかを知り、そして、距離計２００は、風指標５１２を適切に表示してユーザの新たな相対的風向を図形表示することができ、その結果、あたかも人が装置の上方に位置しているかのように風指標が時計の文字盤上に風の向きを指示するようになっている。
【００７８】
風向を定める上で、時計コードを用いることは、コンパス、ＧＰＳ、又は他の測定装置を持ち出さなければならない場合よりも簡単である。この図形インターフェースは、風向の実際のコンパス方首方向又はレーザ距離計が向いている実際のコンパス方向をユーザが知る必要がない、ということを意味している。というのは、これは、距離計２００の「フードの下で（つまり、装置内部で）」全て行われるからである。ユーザは、自分の意図した標的にいったん向くと、自分の標的方向に対して風がどの方向からやってくるかを判定するだけで良い。例えば、人が標的に向いていて風がユーザの真後ろから（「６時」のところから）やってきている場合、ユーザは、矢印の向きをスクロールしてこれをスクリーンの底部に合わせ、その結果、矢印が上方に向くようにし、それによりユーザの背後からやってきている風をシミュレートする。さらに別の例で、風がユーザの左肩からやってきている場合、ユーザは、単に風矢印をスクロールしてこれをディスプレイ上の「９時」の位置に合わせれば良い。最後に、ユーザは、多位置型ボタン２２０の上／下位置を用いると共に風速の適当な増分を用いて、自分の風速を入力する。この説明のため、１ｍｐｈ増分が用いられる。ユーザは、任意の所望の方法を用いて風速を決定する。例えば、ユーザは、単純な経験に基づいて風を推定しても良い。これは、通常、極端に長い射程の場合を除いて、あらゆる正確な発射を補償するのに十分なほどに正確である。変形例として、ユーザは、手持ち型風力計をも用いることができ、又は、天候アプリ、天候チャネル、天候ラジオ、又は任意他の適当な信頼性のあるソース、からの風データを用いることができる。
【００７９】
風における最も重要な要因は、弾丸の飛行経路距離にわたる平均風である。風向及び風速は、長い距離の発射にわたって変化する場合がある。この理由のために、携帯型風装置は、これらの値の面で制約がある。というのは、携帯型風装置は、ユーザに現在の所在場所のところでの風の読みを与えるに過ぎず、発射の射程全体にわたって風の読みを与えることがないからである。射撃範囲全体にわたって間隔を置いて配置できるワイヤレス装置が存在するが、これは、通常、狩猟、法令執行又は軍事用途にとっては非実用的である。天候ラジオ、天候チャネル、又はスマートフォンアプリも又、超局所的な風データを提供することはない。最善の現行の方法は、ユーザがユーザ自身の観察に基づいて風データを微調整することを許容することである。風装置情報、草の動き、埃の動き等を用いて、ユーザは、射撃範囲にわたる平均風向及び平均風速を判定することができ、次に、その風を距離計に設定することができる。
【００８０】
大抵の距離計が非使用期間（例えば、１０秒）後に電源が切れるので、風（情報）がメモリ内に保たれていることが重要である。次に距離計２００が電源オンした時点で、コンパスは、その方向の瞬時読みをとり、次に風矢印を記憶した風方向に対応するディスプレイ上の適当な場所で表示する。この場合も又、ユーザは風の数値表示の方位が何であるかを知る必要がない。というのは、これは全て、距離計２００のプロセッサ５０８又はメモリ内に記憶されているからである。ディスプレイデータ、例えば複数の標的に関するエレベーションホールドオーバー値及びウィンデージ設定値、を計算するために当該風データを用いるのが良い。
【００８１】
例えば、人が３６０°に向き、風がユーザの右肩（方向）からやってきている場合、ユーザは、風指標５１２を３時の位置に置く。次に、ユーザは、ディスプレイの中心に向いた３時の位置の矢印を見る（シミュレートされたユーザの位置は、鳥瞰図プロフィール内にある）。当該装置は、３６０°（真北）に向いていることが分かり、また、指標が０９０°のところ（真東）に位置していることが分かり、０９０風を記憶すると共に、ユーザが設定する風速値がどのようなものであれ当該風速値を記憶する。０９０°という風向は、ユーザには必ずしも表示されないし（ただし、表示することは、可能である）、必要であるという訳もない。というのは、実際の方向は、矢印の位置と関連していて「フードの下で」記憶されるからである。風指標５１２がいったん設定されると、ユーザは、距離計２００を左又は右にパンする（動かす）ことがあり、矢印は、距離計２００が向いている方向に関して０９０°位置が存在する場所を常に把握するようリアルタイムの調節を行う。
【００８２】
次にユーザがしばらく歩いて新たな標的を発見したと仮定する。今、ユーザは、２７０°（真西）に向いている。本発明に従って距離計２００を用いる場合、ユーザは、自分が向いているのがどの方向であるかを知る必要はない。ユーザは、距離計２００を電源オンすると、即時コンパス方向読みが搭載型慣性航法ユニット５１６によって得られ、距離計２００のプロセッサ５０８が、ユーザが２７０°（真西）に向いていることを判定する。ユーザによって設定された最後の記憶状態の風向値が、０９０（真東）であったとする。このとき、風指標５１２は、ディスプレイ３００の底部に自動的にシフトされ得る。当該底部は、射手の真後ろに位置する６時の位置である。というのは、これは、風が最後にやって来た場所だからである。ユーザは、風を常時把握する必要は全くない。というのは、距離計２００及び風追跡特徴部がユーザに代ってこれを行うからである。風がシフトし又は速度を変えた場合、保存されている風データに対する調節は、多位置型ボタン２２０を用いて容易に実施でき、それにより風向及び風速を微調整することができる。ユーザが風データを微調整するのを忘れた場合であっても、装置は、風の補正が全く行われない場合よりもずっと良好な弾道学的解決策を与える可能性が依然としてある。また、弾道ＤＯＰＥキープ／ダンプ特徴により、ユーザは、実際に、その事実の後に風データを変更することができ、そして弾道学的特徴は、数学的処理を再コンピュータ計算する前に適正な解決策に合わせてリアルタイムの調節を行うであろう。このことは、ユーザが射程を読み取った後まで風を微調整するのを忘れても良いことを意味している。
【００８３】
図３６、図３７Ａ、図３７Ｂ、及び図３７Ｃは、更に、測距システム５０４、環境センサ５３０、慣性航法ユニット５１６、保存ユーザプロフィール設定値５４０、及び保存ユーザ風入力５５０を含む改良型ディスプレイ付き距離計２００の一実施形態を示している。理解されるべきこととして、これら特徴のうちの全てが本発明の範囲に含まれるべき距離計２００内に含まれる必要はない。図３６は、これらの特徴の全てがプロセッサ５０８への入力となることができるということを図示するために提供されている。これにより、ディスプレイ３００内で観察可能な出力データを提供することができる。追加の特徴又は入力部も、設けられ得る。図３６に示されているように、距離計２００は、数個のコンポーネントを収容した本体５２０を有し、かかるコンポーネントとしては、ディスプレイ３００、プロセッサ５０８、測距システム５０４、環境センサ５３０、及び慣性航法ユニット５１６が挙げられる。この概略図では、ボックス５４０は、弾道学的ユーザプロフィールを表し、ボックス５５０は、装置のメモリ内に、恐らくはプロセッサ５０８内に記憶された保存風データ（例えば、風速及び風向）を表している。保存弾道学的プロフィール５４０は、上述したように提供でき、かかる保存弾道学的プロフィールは、ユーザの銃及び弾薬に関する保存弾道学的プロフィールデータを含む。保存風データ５５０は、これまた上述したように提供できる。
【００８４】
図３７Ａ、図３７Ｂ、及び図３７Ｃは、新たな標的のための新たな弾道学的解決策を極めて迅速に提供するために、慣性航法ユニット５１６、保存弾道学的プロフィール情報５４０、及び測距システム５０４と一緒に、保存風データ５５０をどのように使用することができるかを実証している。図３７Ａは、第１の射程５７０で第１の標的５６０に対する射手の位置５５５を示しており、この場合、射手は、風指標５１２を距離計２００上に設定する。図３７Ａでは、風は、１０ｍｐｈの速度で真北（３６０°）から来ており、第１の標的５６０は、３００°のところに位置している。
【００８５】
図３７Ｂは、風のベクトル成分を横風成分と向かい風成分とに分解することができ、次に、記憶されている弾道学的情報（恐らくは、ユーザプロフィールから）に適用して所与の風向及び風速について補正された弾道学的解決策を計算して提供することができる、ということを示している。図３７Ｂにおいて、“Ｘ”は、横風成分であり、“Ｙ”は、向かい風成分である。次の計算式、即ち、Ｓｉｎ３０＝Ｙ／１０を用いて、“Ｙ”について解を求めると、５ｍｐｈの向かい風成分が得られる。更に、次の計算式、即ち、Ｃｏｓ３０＝Ｘ／１０を用いて、“Ｘ”について解を求めると、８．６６ｍｐｈの横風成分が得られる。５ｍｐｈ向かい風及び８．６６ｍｐｈ右横風を、測距システム５０４及びプロセッサ５０８によって求められた第１の射程５７０での第１の標的５６０に関する弾道学的データに適用すると、その結果として、第１の標的５６０についてディスプレイ３００上に提供され得る補正済みの弾道学的解決策が得られる。
【００８６】
ユーザが第２の射程５９０のところで第２の標的５８０に関して位置５５５のところで向きを変えた場合、貯蔵風データ及び他の保存データを用いて、図３７Ｃに示されているような第２の補正済み弾道学的解決策を計算することができる。図３７Ｃでは、計算結果は、同一の風及び弾道学的データを用いて、方向２００°のところで第２の標的５８０について調節される。慣性航法ユニット５１６により、第２の標的５８０の新たな照準合わせ方向が、プロセッサ５０８が新たな横風成分及び向かい風（又は追い風成分）を計算するために、元の風入力に適用され得る。図３７Ｃの例では、“Ｘ”は、依然として、横風成分であり、“Ｙ”は、今や、追い風成分である。次の計算式、即ち、Ｓｉｎ２０＝Ｘ／１０を用いて、“Ｘ”について解を求めると、３．４２ｍｐｈの横風成分が得られる。同様に、次の計算式、即ち、Ｃｏｓ２０＝Ｙ／１０を用いて、“Ｙ”について解を求めると、９．４ｍｐｈの追い風成分が得られる。９．４ｍｐｈ向かい風及び３．４２ｍｐｈ右横風を、測距システム５０４及びプロセッサ５０８によって求められた第２の射程５９０での第２の標的５８０に関する弾道学的データに適用すると、その結果として、第２の標的５８０についてディスプレイ３００内で提供され得る補正済みの弾道学的解決策が得られる。この機能は、例えば射手が類似の風速及び風向の状態で新たな場所に動いた場合、追加の標的及び異なる場所で利用できる。図３７Ａ、図３７Ｂ及び図３７Ｃに示された例は、風速及び風向が同一のままであることを前提条件にしている。しかしながら、風速又は風向が変化した場合、ユーザは、変化した条件について風指標５１２又は他の風入力データを容易に調節することができる。図３５は、ステップ図での当該プロセスの図である。
【００８７】
本発明は、本明細書において、最も実用的で好ましい実施形態であると考えられた形態で説明されたが、前述した特定の実施形態に限定されることは意図されていないことが理解されるべきである。それどころか、本発明の精神又は意図から逸脱することなく、当業者によって改造を行うことができるということが認識され、従って、本発明は、添付の特許請求の範囲の主題及び本明細書における本発明の説明に対するあらゆる合理的な均等物を含むものと解されるべきである。
【図１】
2019148600.tif 000003
【図２】
2019148600.tif 000004
【図３Ａ】
2019148600.tif 000005
【図３Ｂ】
2019148600.tif 000006
【図４Ａ】
2019148600.tif 000007
【図４Ｂ】
2019148600.tif 000008
【図４Ｃ】
2019148600.tif 000009
【図５】
2019148600.tif 000010
【図６】
2019148600.tif 000011
【図７】
2019148600.tif 000012
【図８】
2019148600.tif 000013
【図９】
2019148600.tif 000014
【図１０】
2019148600.tif 000015
【図１１】
2019148600.tif 000016
【図１２】
2019148600.tif 000017
【図１３】
2019148600.tif 000018
【図１４】
2019148600.tif 000019
【図１５】
2019148600.tif 000020
【図１６】
2019148600.tif 000021
【図１７】
2019148600.tif 000022
【図１８】
2019148600.tif 000023
【図１９】
2019148600.tif 000024
【図２０】
2019148600.tif 000025
【図２１】
2019148600.tif 000026
【図２２】
2019148600.tif 000027
【図２３】
2019148600.tif 000028
【図２４】
2019148600.tif 000029
【図２５】
2019148600.tif 000030
【図２６】
2019148600.tif 000031
【図２７】
2019148600.tif 000032
【図２８】
2019148600.tif 000033
【図２９】
2019148600.tif 000034
【図３０】
2019148600.tif 000035
【図３１】
2019148600.tif 000036
【図３２】
2019148600.tif 000037
【図３３】
2019148600.tif 000038
【図３４】
2019148600.tif 000039
【図３５】
2019148600.tif 000040
【図３６】
2019148600.tif 000041
【図３７Ａ】
2019148600.tif 000042
【図３７Ｂ】
2019148600.tif 000043
【図３７Ｃ】
2019148600.tif 000044
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
第１の標的までの距離を測定するための測距システムと、
ディスプレイと、
前記測距システムと連絡状態にあって前記ディスプレイ上に像を生じさせるプロセッサと、
風速及び風向データを前記プロセッサに提供する入力部と、
前記プロセッサと連絡状態にある慣性航法ユニットと、
を備えた距離計であって、
前記プロセッサは、当該距離計が前記慣性航法ユニットからのデータに基づいて位置を変更すると、前記風速及び前記風向を計算して表示する
ことを特徴とする距離計。
【請求項２】
前記プロセッサは、更に、前記ディスプレイ上に前記第１の標的のためのウィンデージ及びエレベーション設定値を計算して表示する
ことを特徴とする請求項１に記載の距離計。
【請求項３】
前記プロセッサは、前記第１の標的からの風速及び風向データを記憶し、更に、当該記憶した風速及び風向データに基づいて、第２の標的のためのウィンデージ及びエレベーション設定値を計算する
ことを特徴とする請求項２に記載の距離計。
【請求項４】
本体を更に備え、
前記本体は、前記ディスプレイ、前記プロセッサ、前記入力部及び前記慣性航法ユニットを有しており、
選択的に、ないし好ましくは、前記入力部は、多位置型ボタンである
ことを特徴とする請求項１に記載の距離計。
【請求項５】
前記本体は、第１ボタンを有しており、
選択的に、ないし好ましくは、前記第１ボタン及び前記多位置型ボタンは、前記本体に取り付けられている
ことを特徴とする請求項４に記載の距離計。
【請求項６】
当該距離計は、ユーザ入力及びデータが入力され得る第１モードと、測距目的で使用される第２モードと、で動作される
ことを特徴とする請求項５に記載の距離計。
【請求項７】
前記第２モードにおいては、前記第１ボタンの作動が、当該距離計に距離測定をさせ、及び／または、前記第１モードにおいては、前記多位置型ボタンの作動が、当該距離計の動作及び／または前記プロセッサへのデータ入力の設定の調整を許容する
ことを特徴とする請求項６に記載の距離計。
【請求項８】
（ｉ）前記第１モードの動作は、弾道データを入力する能力を更に含み、及び、選択的に、ないし好ましくは、
（ｉｉ）前記第１モードの動作は、更に、ユーザの銃の弾道データを含むユーザプロフィールに関する弾道データを入力する能力を更に含む
ことを特徴とする請求項６に記載の距離計。
【請求項９】
前記第２モードの動作は、更に、１または複数の環境センサを用いて風向及び風速を測定する能力を更に含む
ことを特徴とする請求項６に記載の距離計。
【請求項１０】
前記ディスプレイは、風指標を含み、
選択的に、ないし好ましくは、前記風向は、前記多位置型ボタンを用いて前記プロセッサに入力され、当該距離計が前記第１の標的に向いたときに風がやってくる場所の時計コード位置まで、前記風指標を動かす
ことを特徴とする請求項４に記載の距離計。
【請求項１１】
前記風指標は、前記ディスプレイの中心に向いた矢印であり、前記ディスプレイの外縁に沿って３６０°回転可能である
ことを特徴とする請求項１０に記載の距離計。
【請求項１２】
前記多位置型ボタンは、５位置ボタンである
ことを特徴とする請求項４に記載の距離計。
【請求項１３】
前記慣性航法ユニットは、３軸コンパス及び３軸加速度計を有する
ことを特徴とする請求項４に記載の距離計。
【請求項１４】
当該距離計は、ワイヤレス接続方式を用いて、遠隔装置と通信可能である
ことを特徴とする請求項４に記載の距離計。
【請求項１５】
距離計で情報を視認する方法であって、
風データを前記距離計内に設けられたプロセッサに提供するステップを含み、前記距離計は、ディスプレイ、測距システム、及び慣性航法ユニットを有し、
弾道学的データを前記距離計内の前記プロセッサに提供するステップを含み、
前記距離計の前記測距システムを用いて第１の標的までの距離測定値を取得するステップを含み、前記プロセッサは、前記取得した距離測定値、弾道学的データ、及び提供された風データに基づいてエレベーション及びウィンデージ保持値を計算し、
前記計算したエレベーション及びウィンデージ保持値を前記距離計ディスプレイ内で視認するステップを含み、
前記距離計の前記測距システムを用いて第２の標的までの距離測定値を取得するステップを更に含み、前記プロセッサは、前記取得した距離測定値、弾道学的データ、提供された風データ及び前記慣性航法ユニットからのデータに基づいてエレベーション及びウィンデージ保持値を計算し、
前記第２の標的について前記計算したエレベーション及びウィンデージ保持値を前記距離計ディスプレイ内で視認するステップを更に含み、
前記風データ及び前記弾道学的データは、前記第１の標的と前記第２の標的との両方について同一のデータである
ことを特徴とする方法。
【請求項１６】
（ｉ）前記距離計上に設けられている入力部を用いて風データが前記プロセッサに提供され、あるいは、
（ｉｉ）前記風データは、風速及び風向を含み、選択的に、ないし好ましくは、風指標入力を用いて前記風向が前記プロセッサに提供され、及び／または、
弾道学的データは、前記プロセッサ内に記憶されている弾道学的データである
ことを特徴とする請求項１５に記載の方法。